Podtech/llm-jp-corpus-v4-ja_patent huggingface dataset:
(57)【要約】【課題】つる性の植物を育てるために、園芸用支柱を今まで不可能だった場所で、誰でも簡単に立てる事が可能なスタンドを提供する。【解決手段】  従来使用されていた園芸用支柱を差し込むだけで、土の上はもちろんのこと、今まで立てる事が出来なかったマンションのベランダ、ビルの屋上（コンクリート、アスファルト上等）で、園芸用支柱を立てる事が可能になる構造になっている。【選択図】図１
0003161767.tif 000002
【実用新案登録請求の範囲】
【請求項１】
ベースは１枚の金属板のプレス加工により打ち抜き及び曲げ加工されており、ネジによって、つなぎとめられたスリーブにより、園芸用支柱を略０度から略９０度まで回動可能に、差込設置出来るようにしたスタンド。
【考案の詳細な説明】
【技術分野】
【０００１】    本発明は園芸用支柱を立てる時に補助具として使用するスタンドに関する。
【背景技術】
【０００２】    従来、園芸用支柱を立てるための特別な補助具は無く、例えば、実登３０５６７３８に示すように、一般的に支柱そのものを地中に深く差し込むか又は地中に杭を打ち込んでその杭に園芸用支柱を縛り付けるしかなかった。そのため園芸用支柱を立てる際には、園芸用支柱を地中に深く差し込んで立てていたが、差込が浅かった時、又深く差し込んでも風の力及び植物の重さ等で倒れることが多く有った。更にコンクリート上では立てることが出来なかった。【０００３】  また、園芸用支柱を深く地面に差し込む事により園芸用支柱が本来の長さより短くなってしまった。
【先行技術文献】
【特許文献】
【０００４】
【特許文献１】  実登３０５６７３８
【考案の概要】
【考案が解決しようとする課題】
【０００５】  園芸用支柱は強風や固定の甘さで倒れる事があり、植物の成長に影響を与えてしまうなどの問題がある。植物を育てるには園芸用支柱を好条件の角度で設置するのが望ましいが、園芸用支柱を自由な角度をつけて設置する事は困難である。又コンクリート上では園芸用支柱を立てることが不可能である。【０００６】  このように、マンションのベランダ、ビルの屋上等（アスファルト、コンクリート上）では、園芸用支柱を立ててネットを張り、つる性の植物を育てる事は困難なために、朝顔等、つる性の植物を育てて花を楽しむ事が出来ない。【０００７】  さらに園芸用支柱を地中に深く差し込むために、本来の長さよりも短くなってしまう。そのために植物が伸びて行くことが難しい。【０００８】  また、つる性の植物を育てようと園芸用支柱を立て、ネットを張ろうとする時には、ネットを張るために二人以上の人手が必要になる。【０００９】  このように、園芸用支柱を立てる時には多くの問題と労力がいるために、人によっては園芸用支柱を立てるのをあきらめてしまう事がある。【００１０】  本考案の技術的課題は、このような問題に着目し、より多くの場所で園芸用支柱を、簡単に立てる事を可能にするスタンドを提供するものである。
【課題を解決するための手段】
【００１１】  本発明は以上に述べた課題を解決し、園芸用支柱スタンドを使用する事により、より多くの場所で園芸用支柱を自由な角度で簡単に立てる事を可能にするものである。
【考案の効果】
【００１２】  本発明は、土の上ではスタンドを箸等用いて固定し（地面の固い場合は釘１５０ｍｍを用いる）、園芸用支柱を倒れにくくすると共に、略９０度以内の角度で園芸用支柱を立てる事が出来る。又コンクリート上では板を敷いて板に釘又は木ネジ（ナベ型３．５ｍｍ）で園芸用支柱スタンドを固定する事により、今まで不可能だった場所（マンションのベランダ、ビルの屋上等）で園芸用支柱を立てる事が可能になる。また、園芸用支柱を本来の長さで使用する事が出来る。
【図面の簡単な説明】
【００１３】
【図１】本発明に係る園芸用支柱スタンドの概観図である。
【図２】園芸用支柱スタンドの実施形態を示す図である。
【図３】園芸用支柱スタンドを使用してネットを張った時の実施形態を示す図である。
【考案を実施するための形態】
【００１４】  本発明の園芸用支柱スタンドは、図１のようにベース２とスリーブ３を組み合わせ、ベース２は１枚板で形成されている。
【００１５】  より具体的には、ベース２は地面又は板に固定することにより、園芸用支柱を差し込むスリーブ３を、止めネジ４を介して支えている。
【００１６】  又スリーブ３は園芸用支柱５を差し込んで（略０度から略９０度）の角度で可動する事が出来、ストッパー６により反転しないようになっている。
【００１７】  さらに、止めネジ４を締める事により、園芸用支柱５を差し込んだスリーブ３を任意の角度でより強固に固定できる。
【実施例】
【００１８】  本発明は、スリーブ３の内径を変える事により、多サイズの園芸用支柱を差し込む事が出来る。【００１９】  また、ベース２の取り付け穴の細穴７、太穴８、を選択することにより（箸、木ネジ、釘等で）地面、板、コンクリート面に固定出来る。【００２０】  加えて、スリーブ３が（略０度から略９０度）の角度で動くことにより、自由な角度で園芸用支柱５を立てる事が出来る。【００２１】  さらに、止めネジ４をスパナで締めつける事で、スリーブ３を自由な角度の位置でより強固に固定できて、スリーブ３に差し込んだ園芸用支柱５も固定される。【００２２】  そして、一人でも園芸用支柱５を立ててネット１０を張ることが出来る。
【産業上の利用可能性】
【００２３】  本発明は、園芸用支柱５を色々な場所で立てる事が出来るため、今まで不可能だった場所で植物を育てる事が出来る。【００２４】  そして、図３に示すように、この園芸用支柱スタンドを２個使用する事により今まで不可能だった場所（マンションのベランダ、ビルの屋上等）で、園芸用支柱５を２本立ててネットを張り、つる性の植物を育てる事が出来る。その結果、朝顔等今まで育てることの出来なった花を育て楽しむことが出来る。【００２５】  また、図２に示すように多くの家庭でつる性の植物を育てる事により、緑のカーテンを作ることが出来る。このように植物を利用した遮光により部屋の温度を下げることで、エアコンの使用量が減りエネルギーの節約にもなる。【００２６】  さらに、多くの人たちが植物を育てる事により、植物が二酸化炭素を吸収し酸素を出すことでＣＯ２の削減にもなる。
【符号の説明】
【００２７】  １…スタンド
２…ベース
３…スリーブ
４…止めネジ
５…園芸用支柱
６…ストッパー
７…細穴
８…太穴
９…プランター
１０…ネット
【図１】
0003161767.tif 000003
【図２】
0003161767.tif 000004
【図３】
0003161767.tif 000005
【手続補正書】
【提出日】平成22年5月20日(2010.5.20)
【手続補正１】
【補正対象書類名】実用新案登録請求の範囲
【補正対象項目名】全文
【補正方法】変更
【補正の内容】
【実用新案登録請求の範囲】
【請求項１】
周辺部に複数個の細穴と太穴を備えた１枚の矩形金属板ベースの中央部にスリーブを挟持する間隔を持って対向する１対の穴付矩形舌片により止めネジを介して下部に軸直角方向に止めネジを挿通する穴をもつスリーブを挟持するとともに、スリーブの側部下方にスリーブの回動を略０°から略９０°に制約する１枚の矩形舌片をもつ園芸用支柱スタンド。
(57)【要約】      （修正有）【課題】自動車のハンドルを握る疲労を軽減し、ハンドルを片手で操作制御する事の出来る、ステアリングホイールを提供する。【解決手段】車のハンドルを握る基準の位置に、握り手の指が入る穴を設ける。【選択図】図１
0003161768.tif 000002
【実用新案登録請求の範囲】
【請求項１】
握り手の指を抜き差し出来る程度の穴を設けた事を特徴とする、ステアリングホイール。
【請求項２】
ハンドルに固定出来る手段を持ち、かつ、前記穴を設けた事を特徴とする、取り付け具。
【請求項３】
前記穴が円形である事を特徴とする、請求項１又は２記載のステアリングホイール。
【考案の詳細な説明】
【技術分野】
【０００１】    本考案は車のハンドルに関する。
【背景技術】
【０００２】    従来の車のハンドルは、両手を使い、しっかりと握りながら握り換え握り換えし、操作をしている。  一部のハンドルに回転するツマミ等を付け片手でも操作出来る特種なハンドルもあるが。
【考案の概要】
【考案が解決しようとする課題】
【０００３】    本考案は車のハンドルを握っているときの疲労を楽に出来ないか、片手でも操作出来るようにならないかと考えた。
【課題を解決するための手段】
【０００４】    車のハンドルを握る疲労を軽減するために、基準の位置に、握り手の指が入る穴をハンドルに設け、握り手の指を穴に入れておけばハンドルの回転を制御出来る。又片手指でハンドルの回転を操作出来る事を可能にした。
【考案の効果】
【０００５】    ハンドルをとられるという様な思わぬ状況下でも、握り手の指が穴に入っており、ハンドルの回転を制御している事からハンドルを強く握り締めていなくても制御出来る。それにより運転中にハンドルをずっと握り締めているという疲労を軽減できる。握力の弱い方でもハンドルを握っていられる。また、握り手の指がハンドルの回転を制御している事から、逆に、指でハンドルの回転を操作出来る。
【図面の簡単な説明】
【０００６】
【図１】本考案に係るハンドルと一体に作った穴の位置
【図２】ハンドルに付けた穴部正面からの図である。
【図３】ハンドルに付けた穴部の斜視図である。
【図４】ハンドルに固定出来る手段を持つ、穴を設けた取り付け具斜視図で、図１、２、３、４の形は一例である。
【考案を実施するための形態】
【０００７】    図１に示すように、従来の車のハンドル１の握り手の親指の位置に穴２を設ける。
【０００８】    次に、穴２を利用しての操作方法は、ハンドルを握る姿勢は通常のままで良い。ハンドルを握る事で指が穴２に入り、ハンドルの回転を制御出来る。
【０００９】    回転時には、左右どちらかの穴２に入れている片方の指のみで回転操作すれば良い。
【００１０】    図３のように、穴内側を平らにし幅を広く設けることにより、指にかかる負荷を分散している。
【００１１】    図４は、ネジや接着剤等で車のハンドルに取り付け固定出来る手段を持つ、指穴を設けた取り付け具。
【符号の説明】
【００１２】    １、ハンドル
２、ハンドルと一体に作った穴部
３、ハンドルに固定出来る手段を持つ、指穴を設けた取り付け具
【図１】
0003161768.tif 000003
【図２】
0003161768.tif 000004
【図３】
0003161768.tif 000005
【図４】
0003161768.tif 000006
【手続補正書】
【提出日】平成22年5月21日(2010.5.21)
【手続補正１】
【補正対象書類名】実用新案登録請求の範囲
【補正対象項目名】全文
【補正方法】変更
【補正の内容】
【実用新案登録請求の範囲】
【請求項１】
握り手の指を抜き差し出来る程度の穴を設けた事を特徴とする、ステアリングホイール。
【請求項２】
前記穴が設けられ、かつ、ステアリングホイールに固定出来る手段を持つ操作補助具を取り付けた事を特徴とする請求項１記載のステアリングホイール
【請求項３】
前記穴が円形である事を特徴とする、請求項１又は２記載のステアリングホイール。
(57)【要約】【課題】ヘアーエクステンションの固着方法は、より多くの毛髪を取り付けようとすると、より多くの固着部分が必要となり、固着の手間がかかった。【解決手段】とって第一列みの毛束のみに自毛との固着が行なわれ、第二列以降は連結帯によって第一列みの毛束に連結しているので、より少ない固着作業で、より多くの毛髪を取り付けることが可能となった。【選択図】図１
0003161791.tif 000002
【実用新案登録請求の範囲】
【請求項１】
複数の固着具が取り付けられたみの毛束とみの毛連結帯によって連結されている複数のみの毛束からなることを特徴とするヘアーエクステンション。
【考案の詳細な説明】
【技術分野】
【０００１】  この考案は、ヘアーエクステンションの地毛への取り付け方法に関する。
【背景技術】
【０００２】従来のエクステンションヘアーを地毛に取り付ける方法は、図２に示すように、各種の固着具や固着材で地毛にみの毛束を取り付けるものや、地毛に毛束を編込むものであった。
【考案の概要】
【考案が解決しようとする課題】
【０００３】  しかしながら、以上の技術によれば、一ヶ所の取り付け部分に対して、一つの固着具または固着材または編込み作業が必要となり、頭部全体にバランスよく取り付ける際には、作業量が多くならざるを得なかった。
そこで、この考案は、自毛に毛束を取り付ける際により簡単に取り付ける方法を提供することを課題とする。
【課題を解決するための手段】
【０００４】  以上の課題を解決するために、第一考案は、自毛に取り付ける毛束列は最上部一列のみとすることを特徴とするヘアーエクステンションである。
また、第二考案は、
最上部第一列のみの毛束に連結帯を設置し、第二列以降の下段のみの毛束は該連結帯に連結することを特徴とするヘアーエクステンションである。
【考案の効果】
【０００５】  第一考案、または第二考案によれば、最上部第一列のみの毛束だけを固着具あるいは固着材で固定すれば、その下段のみの毛束は連結帯につながっているので、容易に取り付けができるようになる。
【図面の簡単な説明】
【０００６】
【図１】この考案の一実施形態を示す正面図である。
【図２】従来技術を示す正面図である。
【考案を実施するための形態】
【０００７】  この考案の一実施形態を、図１に示す。
第一列みの毛の固着方法は、鉄製クリップを使用する。毛束は人毛で、上部が化学繊維で編みこまれてみの毛状態になっている。連結帯は化学繊維を編んだものである。各みの毛列は連結帯に繊維で固定されている。
「実施形態の効果」
【０００８】  この実施形態によれば、第一列みの毛束の固着用クリップ３つを自毛に固定すれば、二列目以降のみの毛束は頭部に固定されることになり、従来技術に比べて作業が簡単である。さらにみの毛束列間に間隔が開けてあり、この間隔から自毛を引き出すことにより、自毛とエクステンションヘアーが一体となり、より自然なヘアースタイルを実現する。
【符号の説明】
【０００９】１  第一列みの毛束            ２  第一列以降のみの毛束
３  連結帯                    ４  固着具
【図１】
0003161791.tif 000003
【図２】
0003161791.tif 000004
(57)【要約】【課題】  装飾効果が高い野菜観賞セットを提供すること。【解決手段】  野菜の株と透明容器とから成り、水耕栽培施設に於いて、ある程度成長させた野菜の株１を、瓶状の透明容器２に移植したものであって、該透明容器２の開口部に係止具を介して該野菜の株１の根本部分を固定し、該透明容器２内に水を満たすことで該野菜の株１の発育を促すとともに野菜の根までもが美的に観賞できるようにしたことを特徴として、装飾効果が高い野菜観賞セットとした。【選択図】図１
0003161797.tif 000002
【実用新案登録請求の範囲】
【請求項１】
装飾効果が高い野菜観賞セットであって、野菜の株と透明容器とから成り、水耕栽培施設に於いて、ある程度成長させた野菜の株を、瓶状の透明容器に移植したものであって、該透明容器の開口部に係止具を介して該野菜の株の根本部分を固定し、該透明容器内に水を満たすことで該野菜の株の発育を促すとともに野菜の根までもが美的に観賞できるようにしたことを特徴とする野菜観賞セット。
【考案の詳細な説明】
【技術分野】
【０００１】  本考案は、野菜の株を容器に入れて観賞する野菜観賞セットに関するものである。
【背景技術】
【０００２】  従来より、観葉植物や草木の鉢植えを室内で育成して植物を観賞することがおこなわれている。
【考案の概要】
【考案が解決しようとする課題】
【０００３】  しかしながら、このような鉢植えにあっては、植物の種類や葉形状を楽しむにとどまるものであった。【０００４】  本考案は、上記従来有する問題点に鑑み、よりいっそう装飾効果が高い野菜観賞セットを提供しようとするものである。
【課題を解決するための手段】
【０００５】  本考案に於いては、野菜の株と透明容器とから成り、水耕栽培施設に於いて、ある程度成長させた野菜の株１を、瓶状の透明容器２に移植したものであって、該透明容器２の開口部に係止具を介して該野菜の株１の根本部分を固定し、該透明容器２内に水を満たすことで該野菜の株１の発育を促すとともに野菜の根までもが美的に観賞できるようにしたことを特徴として、装飾効果が高い野菜観賞セットとした。
【考案の効果】
【０００６】  本考案によれば、水耕栽培施設に於いて、ある程度成長させた野菜の株を瓶状の透明容器に移植して水で育成することから、葉や茎だけでなく、普段見ることの少ない根までも美的に観賞することができる。また、野菜であることから、食して楽しむこともできる。
【図面の簡単な説明】
【０００７】
【図１】  本考案による野菜観賞セットの正面図である。
【考案を実施するための形態】
【０００８】  以下、本考案の実施の形態について、図面を参照して説明する。
図１に示すように、本考案に於いては、野菜の株と透明容器とから成り、水耕栽培施設に於いて、ある程度成長させた野菜の株１を、瓶状の透明容器２に移植したものであって、該透明容器２の開口部に係止具を介して該野菜の株１の根本部分を固定し、該透明容器２内に水を満たすことで該野菜の株１の発育を促すとともに野菜の根までもが美的に観賞できるようにしたことを特徴として、装飾効果が高い野菜観賞セットとした。
【符号の説明】
【０００９】  １    野菜の株
２    透明容器
【図１】
0003161797.tif 000003
(57)【要約】      （修正有）【課題】燭台と一体化できることと共に、着脱自在にして洗浄を容易にすることと共に、香皿自体を係止した燭台とデザイン的に高級感を醸し出すことができる香皿を提供する。【解決の手段】香皿１の中央に穴を設け、ローソクや電気ローソクのような棒状をした灯明部３の上から差し込んで、容易に取り付けができるようにして燭台４と香皿１の一体化を図る。もって、液体香料で汚れた香皿を簡単に洗浄できるようにし、清潔感を保ち、見栄えも良くなるように構成する。【選択図】図３
0003161798.tif 000002
【実用新案登録請求の範囲】
【請求項１】
中央に棒状形の対象物が差し込めるように穴を設け、その穴の周囲の本体上面に液体香料を浸すことができるように凹部を設けた皿状をした香皿。
【考案の詳細な説明】
【技術分野】
【０００１】  灯明部であるローソクや、電気ローソクが燭台に立てられた状態、或いは一体になっている状態で、灯明部の上から差し込み燭台上部で係止させられるようにした香皿。
【背景技術】
【０００２】  従来、香は線状や粉末のものが主流であったが、近年では液状のアロマ香料が増えてきている。この液体香料を浸す皿は、以前の香炉と同様に他の仏具とは別に設けていた。
【考案の開示】
【考案が解決しようする課題】
【０００３】  燭台と一体化できることと共に、着脱自在にして洗浄を容易にすることと共に、香皿自体を係止した燭台とデザイン的に高級感を醸し出すこと。
【課題を解決するための手段】
【０００４】  当該香皿の中央に穴を設け、ローソクや電気ローソクのような棒状をした灯明部の上から差し込んで、容易に取り付けができるようにした。
【考案の効果】
【０００５】  燭台と香皿とを容易に一体化させることができ、さらに液体香料で汚れた香皿を簡単に洗浄できることで、常に清潔に保つことができ。見栄えも良くなる。
【考案を実施するための最良の形態】
【０００６】  中央にローソクや電気ローソクのような灯明部が棒状形の対象物を差し込めるように穴を設け、その穴の周囲の本体上面に液体香料を浸すことができるように凹部を設けた皿状をした香皿。
【実施例】
【０００７】  以下、本考案の実施例を、図１から図２、及び図３を参照して説明する。図１は香皿本体１の形状をしめしている、図２は香皿１が差し込まれる前の状態を示し、図３は、香皿１が取り付けられた状態を示している。
【図面の簡単な説明】
【０００８】
【図１】香皿本体の斜視図である。
【図２】香皿が取り付けられ前の斜視図である。
【図３】香皿が取り付けられた状態の斜視図である。
【符号の説明】
【０００９】１  香皿本体
２  香皿凹部
３  灯明部
４  燭台
【図１】
0003161798.tif 000003
【図２】
0003161798.tif 000004
【図３】
0003161798.tif 000005
(57)【要約】      （修正有）【課題】花や植物を入れるポットベースに関し、特に製作が容易で、時間と労力を要しないポットベースを提供する。【解決手段】ポットベースは、２対の取付穴が形成された紙製の本体と、２対の取付穴が形成された２枚の補助板と、上記本体を丸め、本体の２対の取付穴と、上記２枚の補助板に形成された２対の取付穴とを勘合させ、上記本体と補助板を本体の底部で固定する固定部材とを有することを特長とする。【選択図】図１
0003161793.tif 000002
【実用新案登録請求の範囲】
【請求項１】
２対の取付穴が形成された紙製の本体と、
２対の取付穴が形成された２枚の補助板と、
前記本体を丸め、前記本体の２対の取付穴と、前記２枚の補助板に形成された２対の取付穴とを勘合させ、前記本体と補助板を前記本体の底部で固定する固定部材と、
を有することを特徴とするポットベース。
【請求項２】
前記固定部材は、固定用フックであることを特徴とする請求項１に記載のポットベース。
【請求項３】
前記本体にはリボンが前記固定部材によって取り付けられることを特徴とする請求項１、又は２に記載のポットベース。
【考案の詳細な説明】
【技術分野】
【０００１】
本考案は、花や植物を入れるポットベースに関する。
【背景技術】
【０００２】
今日、小型のフラワーポット等、花や植物の栽培に小型容器が広く使用されている。このようなフラワーポット等の小型容器として、例えば紙で制作した紙容器も提案されている。
ここで、紙容器を使用した発明として、特許文献１が提案されている。この発明は、例えば８角形の天板の周辺に花弁状に２種類の側壁を交互に折り込んで紙容器を制作する発明である。
【先行技術文献】
【特許文献】
【０００３】
【特許文献１】特開平７−７６３３５号公報
【考案の概要】
【考案が解決しようとする課題】
【０００４】
しかしながら、特許文献１に係る発明では、展開図が複雑であり、容器の作成も煩雑であり、紙容器の作成に時間と労力を要する。
【０００５】
そこで、上記課題に鑑み、製作が容易で、時間と労力を要しないポットベースを提供するものである。
【課題を解決するための手段】
【０００６】
上記課題は第１の考案によれば、２対の取付穴が形成された紙製の本体と、２対の取付穴が形成された２枚の補助板と、前記本体を丸め、前記本体の２対の取付穴と、前記２枚の補助板に形成された２対の取付穴とを勘合させ、前記本体と補助板を前記本体の底部で固定する固定部材とを有するポットベースを提供することによって達成できる。
【０００７】
また、上記課題は第２の考案によれば、前記固定部材は、固定用フックであるポットベースを提供することによって達成できる。
【０００８】
また、上記課題は第３の考案によれば、前記本体にはリボンが前記固定部材によって取り付けられるポットベースを提供することによって達成できる。
【考案の効果】
【０００９】
本考案によれば、花や小型の植物等を入れる紙容器を容易に作成することができ、時間を要することなく、ポットベースを作成することができる。
また、上記のように、本考案のポットベースは、フラワーポットを入れる容器として、フラワーアレンジメント用の容器として、花瓶として、更には鉢カバーとしても使用することができる。
【図面の簡単な説明】
【００１０】
【図１】本考案のポットベースの外観を示す斜視図である。
【図２】本体を展開した状態を示す図である。
【図３】本体を矢印方向にまるめる状態を示す図である。
【図４】２枚の補助板の取り付け状態を示す図である。
【図５】ポットベースを底方向から視た斜視図である。
【００１１】
以下、本考案の実施の形態を図面を参照しながら説明する。
図１は、本考案のポットベースの外観を示す斜視図である。同図において、ポットベース１は本体２と、本体２に取りつけられたリボン３で構成され、更に後述する２枚の補助板と複数の固定用フックで構成されている。また、このポットベース１には、例えばプラスチック製のポット１２が収納され、鉢皿として使用する他にも、生け花や造花がアレンジされる。
【００１２】
本体２は厚紙で構成され、本体２の所定箇所には取付穴が形成されている。図２は本体２を展開した状態を示す図であり、本体２には所定箇所に、夫々２個ずつ形成された取付穴４ａと４ｂ、５ａと５ｂ、６ａと６ｂ、７ａと７ｂが形成されている。
ポットベース１を作成する際には、本体２を図３に示す矢印方向にまるめ、上記取付穴４ａと６ａ、４ｂと６ｂ、５ａと７ａ、５ｂと７ｂを夫々重ね、固定用フックで留める。
【００１３】
一方、図４は２枚の補助板９及び１０の取り付け状態を示す図である。補助板９及び１０は、同図に示すように夫々４個の取付穴９ａ〜９ｄ、及び１０ａ〜１０ｄを備えている。また、補助板９及び１０には折込線９ｅ、９ｆ、及び１０ｅ、１０ｆが形成され、同図に折込線９ｅ、９ｆ、及び１０ｅ、１０ｆを内側に織り込んだ状態を示している。
【００１４】
上記のように補助板９の折込線９ｅと補助板１０の折込線１０ｅが内側に折り込まれていることにより、補助板９と１０の両脇部が本体２の内面と接し、前述の補助板９の取付穴９ａ、９ｂと、補助板１０の取付穴１０ａ、１０ｂが勘合する。同様に、前述の補助板９の折込線９ｆと補助板１０の折込線１０ｆが内側に折り込まれていることにより、補助板９と１０の両脇部が本体２の内面と接し、前述の補助板９の取付穴９ｃ、９ｄと、補助板１０の取付穴１０ｃ、１０ｄが勘合する。
【００１５】
上記図４に示す補助板９と１０が本体２に取り付けられている。本体２と補助板９と１０の取り付けは、前述の本体に設けられた取付穴４ａと６ａを固定用フックで留める際、補助板９の取付穴９ａと補助板１０の取付穴１０ａも勘合させて留める。また、本体に設けられた取付穴４ｂと６ｂを固定用フックで留める際、補助板９の取付穴９ｂと補助板１０の取付穴１０ｂも勘合させて留める。同様に、前述の本体に設けられた取付穴５ａと７ａを固定用フックで留める際、補助板９の取付穴９ｃと補助板１０の取付穴１０ｃも勘合させて留め、本体に設けられた取付穴５ｂと７ｂを固定用フックで留める際、補助板９の取付穴９ｄと補助板１０の取付穴１０ｄも勘合させて留める。
【００１６】
図５は、上記組み立てによって作成されたポットベースを底方向から視た斜視図である。尚、同図に示す１１は上記固定用フックである。また、同図に示す１２はプラスチック製のポットである。
以上のように、本実施形態のポットベース１は容易に製作でき、短時間で製作可能である。また、使用する部品点数も少なくて済む。
【符号の説明】
【００１７】
１・・・ポットベース
２・・・本体
３・・・リボン
４〜７、４ａ、４ｂ、５ａ、５ｂ、６ａ、６ｂ、７ａ、７ｂ・・取付穴
９、１０・・補助板
９ｅ、９ｆ、１０ｅ、１０ｆ・・折込線
１１・・固定用フック
１２・・ポット
【図１】
0003161793.tif 000003
【図２】
0003161793.tif 000004
【図３】
0003161793.tif 000005
【図４】
0003161793.tif 000006
【図５】
0003161793.tif 000007
(57)【要約】      （修正有）【課題】ボビン型の回転体にフインを施し一体化した簡単な構造の風力発電装置を提供する。【解決手段】回転軸棒を中心に、回転するボビン型の回転体と、その軸回りに、同軸との間にすき間を設けて、フインを備えたことを特徴とする回転式ボビン型風力発電装置は、中心軸棒を中心に、ボビン型とフインを一体化し回転時に負荷が少ない為、弱風にも回転し続け、しかも、コンパクトであり、場所を取らない。【選択図】図４
0003161772.tif 000002
【実用新案登録請求の範囲】
【請求項１】
回転軸棒を中心に、回転するボビン型の回転体と、その軸回りに、
同軸との間に隙間を設けて、３〜４等分間隔で、羽根を設け
たことを特徴とする風力発電装置。
【請求項２】
前記羽根は、その断面形状が、多少湾曲していることを、特徴と
する請求項1記載の風力発電装置。
【請求項３】
前記羽根は、スライス状に左右移動できる。構成を備えた
ことを、特徴とする請求項１又は、請求項２の風力発電装置。
【考案の詳細な説明】
【技術分野】
【０００１】
風力発電装置に関するものである。
【背景技術】
【０００２】
従来の風力発電装置回転式には、プロペラ型羽根回転式又は、
かご車型風車などあるが、軸を中心として風車が回ることで、
一体化し発電エネルギーを、得ている。
【考案の概要】
【考案が解決しようとする課題】
【０００３】
従来の風力発電装置は、羽根の回転時に負荷が大きく発電
率が損なわれ、羽根部分のロータが大きく、場所に左右され
易く、ボビン型回転体は、回転体とフインが一体化し風車の
中心軸棒を中心に回転し、風の向きに関係なく、構造物内で
回転する範囲で抑えた。
【課題を解決するための手段】
【０００４】
従来は、構造が大きく場所を取りかさばる要因であったが、
回転式ボビン型構造発電装置は、中心軸棒N極内部に導体
のコイルを取り入れ、フインをS極に施しボビン型のフインが
回転し導体が、磁界を生じ電磁誘導を取り入れ又、風車
と中心軸棒の為連結軸の代わりに、中心軸棒の軸芯と円盤の間
にベアリングを備えスムーズに、回転できる機能にしコイル部分
を防水加工に施した。
上記のように、回転体に負可がかからない発電システムで、
回転軸棒を中心に、回転するボビン型の回転体と、その軸回り
に、同軸軸との間に隙間を設けて、３〜４等分間隔で、羽根を
設けて風の調整を回転可能にし、風がフインを抜けると、前の
フインを押す二方向構造にしたことを特徴とする風力発電装置。
【考案の効果】
【０００５】
回転式ボビン型風力発電装置は、中心軸棒を中心に、ボビン型と
フインを一体化し回転時に負荷が少ない為、弱風にも回転し続き
しかも、コンパクトであり、場所を取らない。
【考案を実施するための最良の形態】
【０００６】
海岸沿い及び山の高台又は、風の通り易い場所が良く、簡易
的な風力発電装置であり風が通る位の場所で、回転体が容易に
回転する為、５メートル以内の高さで良い。
【実施例】
【０００７】
図１は、各々の部品名について説明する。１のヘッド部分は、
半円球状の防水効果を備えており、２の円盤上限部分２eに連結
する。２は、円盤の上下２枚４のフイン部分をはさむ。
３は、シャフト軽量化の為、細い棒芯に、均等に3箇所に取り付け上下部分の円盤と連結し、２と３を連結するとボビン型構造になる。
４は、フインを永久磁石Ｓ極に３枚ないし４枚で構成した。
円盤に、フインをはさむ。  ５は、ベアリングであり円盤２と軸心６の連結部分、軸心Ｎ極に、４のフインつまりＳ極が接する範囲で、Ｎ極軸心にコイルを施す。
６は、中心軸棒の軸心は、フインの回転方向にネジ山を、３箇所作りジョイント部分を構成し1本軸心に組み立て構造にしＮ極、軸心のくぼみ部分に５のベアリングを形成し円盤が収まる。
図２は、円盤でヘッド部分とフイン部分が収まり２aにフインを
スライス状に入れる溝部分である。  ２bは、４aと噛合せ部分ＣＤ
ロム箱見たいなスットパ安全装置である。２cは、レールの凹凸部分でフインを固定する。  ２dは、４dの押しボッチ。  ２eは、ヘッド個所回転方向に挿し込み口。  ２ｆは、フインが外れない様に、円盤状クリップである。
図３は、フイン兼Ｓ極で、４bは、２b上部に球状か、小さなローラで、円滑にし回転時にガタガタをボルトで調整でき、７と連結するミゾ部分で、７は、風が強い時負荷を調整する。スペアリング又、ダンバーで、２ｂ間の上部に取り付けバネ状にフインを、左右移動制御する。８は、防水加工を施したコイル部分。
図４は、全体図及び平面図と斜視図
【図面の簡単な説明】
【０００８】
【図１】風力発電装置の各々部品分解図
【図２】円盤と附属部品を示す図である。        （ａ）図は、拡大図である。（ｂ）図は、側面図である。        （ｃ）図は、断面図である。
【図３】フイン及びＳ極と附属品を示す図である。        （ａ）図は、拡大図である。        （ｂ）図は、付属部品の側面図である。        （ｃ）図は、断面図である。        （ｄ）図は、スペアリングの略図である。
【図４】風力発電装置の全体図を示す図である。（ａ）図は、平面図である。（ｂ）図は、斜視図である。
【符号の説明】
【０００９】
１  半球状のヘッド部分にフック個所
２  円盤
３  シャフト    
４  フインＳ極
５  ベアリング
６  中心軸棒及びＮ極  
７  スペアリング
８  コイル部分の防水加工
１ａ  フック  ２ａ  ミゾ  ２ｂ２ｄ  フインの取り付けストッパ
２ｃ  フインを押さえる凹凸部分の膨らみ個所
２ｅ  ヘッド部分のトッキが入るフック個所
２ｆ  円盤に収まるクリプ
４ａは、フインのツメ  ２ｂと連結安全装置
４ｂは、スペアリング内のホーク球状のミゾに、7と連結
【図１】
0003161772.tif 000003
【図２】
0003161772.tif 000004
【図３】
0003161772.tif 000005
【図４】
0003161772.tif 000006
【手続補正書】
【提出日】平成22年5月24日(2010.5.24)
【手続補正１】
【補正対象書類名】実用新案登録請求の範囲
【補正対象項目名】全文
【補正方法】変更
【補正の内容】
【実用新案登録請求の範囲】
【請求項１】
回転軸棒を中心に、回転するボビン型の回転体と、その軸回りに、同軸との間に隙間を設けて、３等分間隔又は４等分間隔で、羽根を設けたことを特徴とする風力発電装置。
【請求項２】
前記羽根は、その断面形状が、軸に垂直に切った断面上が、湾曲していることを、特徴とする請求項１記載の風力発電装置。
【請求項３】
前記羽根は、溝に沿って負荷の調整を施し、スライド状に左右横方向に移動できる構成を備えたことを、特徴とする請求項１又は、請求項２の風力発電装置。
(57)【要約】【課題】  直射日光や雨を避けるため、着脱しやすく犬に負担を与えないデザイン性のある犬用晴雨兼用傘を提供する。【解決手段】  首の位置から胴にかけて１本のゴムを取り付け、ゴムはアジャスターとバックルを用いてサイズ調節が出来るようにする。そのゴムに羽根状に切り、体のラインに沿うように丸めたシートを取り付ける。【選択図】図１
0003161774.tif 000002
【実用新案登録請求の範囲】
【請求項１】
日よけ・雨よけとなるポリプロピレン製のシートを羽根状に切り、体のラインに沿うように丸め、着脱しやすく犬の動きに対応できるように首から胴につなげた１本のゴムに取り付け、ゴムはアジャスターとバックルを用いてサイズ調節が可能にした犬用晴雨兼用傘。
【考案の詳細な説明】
【技術分野】
【０００１】  本考案は、犬の熱中症兼雨用対策のための犬用晴雨兼用傘に関するものである。
【背景技術】
【０００２】  近年、地球の気温が上昇している中で、犬は散歩時に体に直射日光を浴び、熱中症になることがしばしばあるが、それを軽減し雨にも対応出来るようなものがなかった。
【考案の概要】
【考案が解決しようとする課題】
【０００３】  直射日光や雨を避けるため、出来るだけ着脱しやすく犬に負担をかけない、デザイン性のある犬用晴雨兼用傘を作成することを課題とする。
【課題を解決するための手段】
【０００４】  直射日光や雨を避けるために、日よけ・雨よけとなるポリプロピレン製のシートを羽根状に型取り、犬の体型に合わせ丸めたものを、着脱しやすく犬の動きに対応できるように首から胴につなげた１本のゴムに取り付け、ゴムの部分はアジャスターとバックルを使用し、サイズ調整を可能にする。
【考案の効果】
【０００５】  直射日光や雨を避けると共に、シートを羽根状に型取ったものを丸めることで、犬が歩くたびに風を起こすので、通気性が良く体温調節を助ける。
【図面の簡単な説明】
【０００６】
【図１】
【図１】
0003161774.tif 000003
【手続補正書】
【提出日】平成22年6月4日(2010.6.4)
【手続補正２】
【補正対象書類名】明細書
【補正対象項目名】０００６
【補正方法】変更
【補正の内容】
【０００６】
【図１】犬用晴雨兼用傘を犬に取り付けた状態を示す斜視図。
(57)【要約】【課題】擬似餌であるルアーの特定部位にＬＥＤまたはランプを装着して点滅させることにより集魚性を高める。【解決手段】通常市販されている低電圧の電池を用い、消費電流を抑えるためにＭＯＳトランジスタを使用することと、ルアーに金属ピンを装備して水中のみ電池からの電力を供給することと、発振器と昇圧回路により低電圧電池からの電圧を昇圧してＬＥＤまたはランプを点滅する。【選択図】図１
0003161782.tif 000002
【実用新案登録請求の範囲】
【請求項１】
電池電圧１．２Ｖまたは１．５Ｖの一次電池または二次電池を用い、電池の消耗を抑えるために２本の金属ピンにより水中にある時のみ電池電圧を供給する手段と、供給された電池電圧により特定の周波数を発振する手段と、発振周波数を用いて電池電圧を３倍程度の電圧に昇圧する手段と、昇圧された電圧によりＬＥＤまたはランプを点滅させる手段を有する光点滅ルアー。
【考案の詳細な説明】
【技術分野】
【０００１】  本考案は市販されている１．２Ｖまたは１．５Ｖの一次電池または二次電池を用いて、順方向電圧が３Ｖ程度のＬＥＤまたは３Ｖ程度のフィラメントランプを特定された時間間隔で点灯と消灯を繰り返す光点滅ルアーに関するものである。
【背景技術】
【０００２】  魚の種類の中で特に鯵、鯖、鰯、烏賊などは光に集まる習性である「正の走行性」と呼ばれる特徴があるのは知られている。烏賊漁では漁船の周辺にたくさんのライトを灯すことによって烏賊が光に集まる習性を利用して、蛍光塗料を塗布した海老または小魚に似せた餌木と呼ばれる擬似餌を用いて捕獲する。【０００３】  海面からおおよそ７０ｍ近辺では太陽光線の０．１％程度の太陽光しか届かないのは知られており、７０ｍ以下では漆黒の闇と同じであるためアンコウなどの深海魚は提灯と呼ばれる細い触角の先端を光らせて魚を集めて捕獲する習性がある。【０００４】  また趣味で釣りをするにしても漁師のような船などの装備は高価で購入はできないが安価な集魚機器があれば釣果を期待できる。しかしながら有効な集魚手段がないのが現状である。【０００５】  通常の釣り用の擬似餌であるルアーは相当数の種類が販売されているが、種類、形、色が異なる程度で、ルアーを操作するロッドの動きに特徴が必要で熟練を要するため、現在市販されているルアー自身では集魚効果は期待できないのが現状である。
【考案の開示】
【考案が解決しようとする課題】
【０００６】  解決しようとする問題点は、ＬＥＤの順方向電圧は種類にもよるが、おおよそ３Ｖ程度であるから３Ｖ以上の電圧をＬＥＤに供給しないとＬＥＤは点灯しないことになる。通常の安価な一次または二次電池の電圧は種類にもよるが１．２Ｖまたは１．５Ｖであるから電池電圧をＬＥＤに直接供給してもＬＥＤは点灯できないため、電池電圧を３倍程度に昇圧することと、ルアー自身が水中で使用されるため防水構造が必要であるが、防水構造では電池交換が難しいので電池の消耗を抑制する点である。
【課題を解決しようとする課題】
【０００７】  本考案は１．２Ｖまたは１．５Ｖの安価な一次電池または二次電池を用いてＬＥＤを点灯させるための順方向電圧である３Ｖ程度以上の電圧を生成することを特徴とする。
【０００８】  更に、防水構造が必要であり電池交換が容易ではないので電池の消費電流を抑制するために水中で使用される場合のみ電池電圧を供給することと、ＭＯＳ型のトランジスタを使用することにより電池の消費電力を低減できることを特徴とする。
【考案の効果】
【０００９】  本考案の光点滅ルアーは魚の習性である「正の走行性」と呼ばれる特徴を利用して擬似餌であるルアーの目、腹、背などの部位に魚を呼び寄せるためのＬＥＤまたはランプを特定間隔で点灯と消灯を繰り返すことで集魚性を高める利点がある。
【考案を実施するための最良の形態】
【００１０】  魚の形をしたルアーを縦方向に半分にした左右対象の形を木またはプラスチック材料にて成型して作成し、部品を実装する部分は空きスペースにしてあるので電子回路基板と電池を組み込み、左右対称の魚の目の部分に基板から配線してＬＥＤを取り付ける。魚の尾の部分にルアー用の釣り針を取り付けて、魚の目の下部分に錘を取り付け、電源スイッチとなる金属ピンを左右の木またはプラスチックの適当な部分に差し込み基板と配線する。左右のプラスチックの糊しろ部分を接着剤にて接着して防水構造とする。金属ピンを水につけると電池電圧はＭＯＳトランジスタのゲートにバイアス電圧が印加されＭＯＳトランジスタをオン状態、即ちショート状態になり電池電圧が次段に接続された無安定マルチバイブレータに供給されると０．２５秒間隔の発振回路を起動する、発信回路からの発振信号は更に次段に接続されたコンデンサと抵抗を利用した昇圧回路に出力され０．５秒の時定数にて約３倍の電圧に昇圧された電圧がＬＥＤに印加され、０．５秒間隔で点滅を繰り返すことができる。元の電池電圧が低いため通常の半導体での駆動は実現できないが、すべての素子にＭＯＳトランジスタを使用することにより実現できた。
【実施例】
【００１１】  図１は本考案の実施例の制御回路構成を示している。この実施例では光点滅ルアーが水中にある時のみ電池電圧を供給して電池の消耗を抑えることと、発振された発振信号を利用して電池電圧を３倍程度に昇圧した電圧をＬＥＤに印加することによりＬＥＤを点滅するための制御回路を示している。１０は電池、２０は電子スイッチ、３０は金属ピン、４０は発振回路、５０は昇圧回路、６０はＬＥＤまたはランプである。【００１２】  図２は本考案の実施例のルアー全体の構成を示している。この実施例では魚の形をしたルアーに必要な部材を取り付けた光点滅ルアーの側面構成を示している。７０はルアー本体、８０は点滅ＬＥＤ、９０は錘、１００は金属ピン、１１０は釣り針部分である。
【産業上の利用可能性】
【００１３】  魚が餌を捕獲する際の特徴として、元気の良い生きた餌を好む習性があるのと、「正の走行性」のように光があって目立つものを好む習性があることは知られている。本考案の光点滅ルアーは釣り用ロッドの動きで生きた餌のような動作をさせるとともに、ルアーの特定場所にＬＥＤを装着し点滅させることにより魚の集魚性を高める用途に適用できる。
【図面の簡単な説明】
【００１４】
【図１】光点滅ルアーの制御回路構成図である。
【図２】光点滅ルアーのルアー全体構成図である。
【符号の説明】
【００１５】  １０  電池
２０  電子スイッチ
３０  金属ピン
４０  発振回路
５０  昇圧回路
６０  ＬＥＤ
７０  ルアー本体
８０  ＬＥＤ
９０  錘
１００  金属ピン
１１０  釣り針
【図１】
0003161782.tif 000003
【図２】
0003161782.tif 000004
(57)【要約】      （修正有）【課題】本体に印刷を施すことなく名称等を表示できる構造のトイレブラシケースを提供する。【解決手段】上部に開口部６を有する筒状体の透明外ケース３の内面に沿うように置いた印刷物２が、更にその内側に配置した樹脂シート９の張力により該透明外ケース３の内面に沿って張り付いて保持される様に構成する。さらに、内側にトイレブラシ４を収納するための凹み形状５及び前記透明外ケース３の開口部６の縁に覆い被さって係止するための係止部７を有するトイレブラシ収納内ケース８とにより、トイレブラシケースを形成する。【選択図】図１
0003161786.tif 000002
【実用新案登録請求の範囲】
【請求項１】
上部に開口部（６）を有する筒状体の透明外ケース（３）の内面に沿うように置いた印刷物（２）が、更にその内側に配置した樹脂シート（９）の張力により該透明外ケース（３）の内面に沿って張り付いて保持された透明外ケース（３）と内側にトイレブラシ（４）を収納するための凹み形状（５）及び前記透明外ケース（３）の開口部（６）の縁に覆い被さって係止するための係止部（７）を有するトイレブラシ収納内ケース（８）からなるトイレブラシケース（１）。
【考案の詳細な説明】
【技術分野】
【０００１】  本考案は、外ケースとトイレブラシ収納部を有する内ケースからなるトイレブラシケースであり、特に外ケース部に印刷物が簡便に収納表示出来るトイレブラシケースに関する。
【背景技術】
【０００２】  従来、トイレブラシケースの本体に印刷、絵柄付け等を施す場合は、原版を作製しパット印刷やスクリーン印刷等の手段で行なっていた。【０００３】  一方で近年、飲料樹脂ボトルの外側を透明とし、内側に印刷物を挿入したコップが提供されている。
【考案の概要】
【考案が解決しようとする課題】
【０００４】  しかしながら、トイレブラシケースの本体に印刷を施す場合、原版の作製の手間、加工製造数等かなり熟考を要し、費用のかかるものであった。【０００５】  又、飲料樹脂ボトルの外側を透明としその内側に広告媒体等の印刷物を挿入したコップにおいては、その印刷物自体の張力でコップ内面に張り付けて保持していたため、印刷物がズレたり、更にズレ防止のためにセロハンテープ等で留めたりする手間があった。
【問題を解決するための手段】
【０００６】  本考案のトイレブラシケース上部に開口部（６）を有する筒状体の透明外ケース（３）の内面に沿うように置いた印刷物（２）が、更にその内側に配置した樹脂シート（９）の張力により該透明外ケース（３）の内面に沿って張り付いて保持された透明外ケース（３）と、内側にトイレブラシ（４）を収納するための凹み形状（５）及び前記透明外ケース（３）の開口部（６）の縁に覆い被さって係止するための係止部（７）を有するトイレブラシ収納内ケース（８）からなることを特徴とする。
【考案の効果】
【０００７】  本考案は、上部の開口部より印刷物を筒状体の透明外ケースの内面に沿うように置き、更にその内側に配置した樹脂シート自体の張力により印刷物が透明外ケース内面と樹脂シートで挟まれたまま透明外ケース内面に張り付いて保持出来るようになるため、トイレブラシケース本体にパット印刷やスクリーン印刷等をする必要のない費用のかからないものとなる。
【０００８】  又、樹脂シートの張力によって印刷物を保持出来るため、印刷物がズレたり、ズレ防止のためのセロハンテープ等で留める手間の無いものとなる。
【０００９】  副次的な効果として、印刷物の絵柄等をトイレの便座マット、足元マット、便座カバー等と例えば統一感を持たせる等自由に合わせる事が出来る。
【００１０】  更に、印刷物に広告を施こす事でノベルティ商品として提供出来、店舗用のトイレにおいてはその店舗のチラシ等を印刷物として置く事で広告媒体としての効果も期待出来る。
【図面の簡単な説明】
【００１１】
【図１】本考案の一実施例を示す斜視図である。
【図２】本考案の一実施例を示す断面図である。
【図３】本考案の一実施例を示す斜視図である。
【考案を実施するための形態】
【００１２】  本考案におけるトイレブラシケースの大きさ、デザイン、材質、製造方法等は特に限定される事はないが、トイレブラシ収納部を有する内ケースと前記内ケースを係止する外ケースからなるもので、特に生産性や費用の面等から樹脂成形されるものが好ましい。
【００１３】印刷物の大きさや材質、印刷の内容等について特に限定される事はない。
【００１４】  印刷物を透明外ケースの内面に沿って張り付かせ保持させるための樹脂シートも大きさや材質等で限定される事はないが、筒状に丸めて装着する際にある程度の張力を有する樹脂シートである事が望ましい。
以下、実施例と図に基づき説明する。
【実施例】
【００１５】  以下、本考案の一実施例を図１、図２及び図３で説明するがこれによって本考案は何ら限定されるものではない。【００１６】  図１は本考案の一実施例を示し、まず上部に開口部（６）を有する筒状体の透明外ケース（３）の内面に沿うように丸めた印刷物（２）を置き、該印刷物（２）の内側には筒状に丸めた樹脂シート（９）を配置している。【００１７】  一方、トイレブラシ収納内ケース（８）は、内側にトイレブラシ（４）を収納するための凹み形状（５）及び前記透明外ケース（３）の開口部（６）の縁に覆い被さって係止するための係止部（７）からなる。【００１８】  図２は本考案の図１のものが組み合わさって構成された断面図を示し、透明外ケース（３）の内面に印刷物（２）が樹脂シート（９）の張力で内面に張り付いて保持されている様子とトイレブラシ（４）が凹み形状（５）に収納され、前記透明外ケース（３）の開口部（６）の縁にトイレブラシ収納内ケース（８）が覆い被さって係止されている様子を示している。【００１９】  図３は本考案の図１のものが組み合わさって構成された斜視図を示している。
【産業上の利用の可能性】
【００２０】  トイレブラシケースの本体にパット印刷やスクリーン印刷等の手段を使用せずに印刷物をトイレブラシケースの外側に表示出来る優れたトイレブラシケースとなる。
【００２１】  樹脂シートの張力により印刷物を保持するため、印刷物がズレたりズレ防止の手間の必要の無いものとなる。
【００２２】  更には、印刷物の絵柄等をトイレの便座マット、足元マット、便座カバー等と統一感を持たせたり、印刷物に広告を施す事でノベルティ商品とする事が出来る。
【００２３】  店舗用トイレにおいて、その店舗のチラシ等を印刷物とする事で広告媒体としての副次的な利用が出来る。
【符号の説明】
【００２４】  １  トイレブラシケース      ２  印刷物      ３  透明外ケース
４  トイレブラシ      ５  凹み形状      ６  開口部      ７  係止部
８  トイレブラシ収納内ケース      ９  樹脂シート
【図１】
0003161786.tif 000003
【図２】
0003161786.tif 000004
【図３】
0003161786.tif 000005